(57)【要約】【課題】ゲートカッターピンの先端に形成される刃先部の保護を図ることができる金型装置を提供する。【解決手段】可動金型３０は、可動側型板３５と、該可動側型板３５に対して移動可能でサイドゲート２７へ先端が進出するゲートカッターピン３２ａと、ゲートカッターピン３２ａの近傍に配置されゲートカッターピン３２ａと一体的に移動して先端３６ａが固定金型２０側に当接するサポートピン３６とを有する。型閉時において、ゲートカッターピン３２ａ先端の刃先部３２ｙがサイドゲート２７へ進出する際、前記ゲートカッターピン３２ａと一体的にサポートピン３６が進出して固定金型２０側に当接して、前記サポートピン３６は固定金型２０を支持する。ゲートカッターピン３２ａの先端の刃先部３２ｙ側の近傍の寸法を確保することができる。【選択図】      図２
2004167949.tif 000002
【特許請求の範囲】
【請求項１】
相互に開閉自在の固定金型と可動金型との分割面に、製品形状のキャビティを形成するとともに、このキャビティにサイドゲートを介して連通するランナーを形成し、前記サイドゲートでランナー内の樹脂とキャビティ内の樹脂とを切断するゲート切断機構を備えた金型装置であって、前記可動金型は、可動側型板と、該可動側型板に対して移動可能で前記サイドゲートへ先端が進出するゲートカッターピンと、前記ゲートカッターピンの近傍に配置され前記ゲートカッターピンと一体的に移動して先端が前記固定側金型に当接するサポートピンとを有することを特徴とする金型装置。
【請求項２】
前記ゲートカッターピンの基端を進退可能な加圧体に接続するとともに、前記サポートピンの基端を前記加圧体に接続したことを特徴とする請求項１記載の金型装置。
【発明の詳細な説明】
【０００１】
【発明の属する技術分野】
本発明は、金型装置に関する。
【０００２】
【従来の技術】
従来、この種のものとしてして相互に開閉自在の固定側金型と可動側金型との間に、製品形状のキャビティを形成するとともに、このキャビティにサイドゲートを介して連通するランナーを形成し、前記サイドゲートでランナー内の樹脂とキャビティ内の樹脂とを切断するゲート切断機構を備え、型開前で、ランナー、サイドゲートおよびキャビティ内の樹脂がある程度固化したときに、カッター駆動源によりゲートカッターピンを駆動して、このゲートカッターピンを金型部材に対して移動させながらサイドゲートへ進出させ、このサイドゲートでランナー内の樹脂とキャビティ内の樹脂とを切断するたゲート切断機構付き金型装置が公知である（例えば、特許文献１参照）。
【０００３】
【特許文献１】
特開平５−２４０７９号公報（段落０００５〜０００６、図１）
【０００４】
【発明が解決しようとする課題】
従来技術において、サイドゲートでランナー内の樹脂とキャビティ内の樹脂とを切断する際には、ゲートカッターピンの先端に形成される刃先部が固定側金型の分割面に当接するものである。しかしながら、ゲートカッターピンの先端に形成される刃先部は先鋭であるので、固定側金型の分割面に刃先部が当接する際にその接触圧が大きいと刃先部が破損する虞がある。そして、固定側金型の分割面に刃先部が当接する際にその接触圧が大きくなる原因としては、熱影響や金型の型締め力により、刃先部の近傍の寸法精度が低下してしまうというものであった。
【０００５】
そこで、本発明は、キャビティにサイドゲートを介して連通するランナーを形成し、前記サイドゲートでランナー内の樹脂とキャビティ内の樹脂とを切断するゲートカッターピンを備えた金型装置において、前記ゲートカッターピンの先端に形成される刃先部の保護を図ることができる金型装置を提供することを目的とする。
【０００６】
【課題を解決するための手段】
請求項１の発明は、相互に開閉自在の固定側金型と可動側金型との分割面に、製品形状のキャビティを形成するとともに、このキャビティにサイドゲートを介して連通するランナーを形成し、前記サイドゲートでランナー内の樹脂とキャビティ内の樹脂とを切断するゲート切断機構を備えた金型装置であって、前記可動金型は、可動側型板と、該可動側型板に対して移動可能で前記サイドゲートへ先端が進出するゲートカッターピンと、前記ゲートカッターピンの近傍に配置され前記ゲートカッターピンと一体的に移動して先端が前記固定側金型に当接するサポートピンとを有することを特徴とする金型装置である。
【０００７】
この請求項１の構成によれば、型閉時において、ゲートカッターピンがサイドゲートへ先端が進出する際、前記ゲートカッターピンと一体的にサポートピンが進出して固定金型側に当接して、前記サポートピンは固定金型を支持することにより、ゲートカッターピンの先端側の近傍の寸法を確保することができる。
【０００８】
請求項２の発明は、前記ゲートカッターピンの基端を進退可能な加圧体に接続するとともに、前記サポートピンの基端を前記加圧体に接続したことを特徴とする請求項１記載の金型装置である。
【０００９】
この請求項２の構成によれば、ゲートカッターピンがサイドゲートへ先端が進出する際には、ゲートカッターピンと一体となってサポートピンは進出することができる。
【００１０】
【発明の実施形態】
以下、本発明の一実施形態を添付図を参照して説明する。図４に示すように成型品１は、平面が矩形の平面部２の四方に壁板部３を形成したもので、いずれか一方の壁板部３に後述するサイドゲートを介し樹脂が充填して成型されるものである。尚、４はゲート跡である。
【００１１】
図１〜３に示すように、金型装置１０は固定金型２０と可動金型３０からなり、固定金型２０は、固定側取付板２１と、これに取付けられる固定側型板２２と、固定側型板２２に取付けるスプルーブッシュ２３とを有している。尚、２４はロケートリングである。そして、この金型装置１０はサイドゲート方式であり、スプルーブッシュ２３のスプルー２５に接続するランナー２６から薄肉のサイドゲート２７を介して、前記成型品１を成型するため型閉時に分割面ＰＬに形成されるキャビティ２８に連通している。このキャビティ２８は、平面部２に対応した平板対応部２８ａの四方に壁板部３に対応する壁板対応部２８ｂを形成しており、サイドゲート２７はスプルーブッシュ２３側の壁板対応部２８ｂに接続している。
【００１２】
可動金型３０は、可動側取付板３１と、ランナー２６内の樹脂とキャビティ２８内の樹脂とをサイドゲート２７で切断するゲートカッターピン３２ａ及びリターンピン３２ｂを有し加圧ロッド３２ｃより進退可能の加圧体たる加圧板３２と、スペーサブロック部３３ａを有する受け板３３と、突出しピン３４ａ、３４ｂを有し突出しロッド３４ｃにより進退可能の突出し板３４と、受け板３３に取付けられる可動側型板３５を有している。これらゲートカッターピン３２ａ、リターンピン３２ｂ、突出しピン３４ａ、３４ｂは、型開閉方向に移動するようになっている。そして、ゲートカッターピン３２ａの先端は、サイドゲート２７に対してはその厚み方向に進退可能に臨んでいるとともに、その先端は刃先部３２ｙとなるように片側傾斜面として形成され、その傾斜面の法線はランナー２６の側に向いており、型開閉方向に移動するようになっている。また、ゲートカッターピン３２ａの基端は、加圧板３２に接続している。リターンピン３２ｂの先端は、ゲートカッターピン３２ａの刃先部３２ｙが固定側型板２２に当接したときに分割面ＰＬに当接するもので、その基端は加圧板３２に接続している。
突出しピン３４ａは先端を平板対応部２８ａに臨んで設けるとともに、スペーサブロック部３３ａの範囲内で移動可能な突出し板３４に基端を接続している。スプルーロックピン等と称せられる突出しピン３４ｂは先端をランナー２６の底面中央の凹部２６ａに臨んで設けるとともに、基端を突出し板３４に接続している。さらに、前記ゲートカッターピン３２ａの近傍にサポートピン３６を設ける。このサポートピン３６は、ゲートカッターピン３２ａの刃先部３２ｙが固定側型板２２に当接したとき一体的に移動して固定側型板２２の分割面ＰＬに当接するものである。実施形態においては、サポートピン３６は、丸棒状であって、キャビティ２８のサイドゲート２７側の両側、すなわちスプルーブッシュ２３側の壁板対応部２８ｂと、スプルー２６の先端の間の左右に配置され、さらにキャビティ２８の幅、すなわちスプルーブッシュ２３側の壁板対応部２８ｂの幅の内側に配置されている。そして、サポートピン３６は、リターンピン３２ｂと同様に先端３６ａは平坦で、ゲートカッターピン３２ａの刃先部３５がサイドゲート２７を貫通して固定側型板２２に当接したときに分割面ＰＬに当接するもので、その基端３６ｂは加圧板３２に接続して、ゲートカッターピン３２ａと一体的に移動できるようになっている。そして、図５に示すように、型閉時におけるゲートカッターピン３２ａの刃先部３２ｙの先端と固定側型板２２との間の距離Ｘ、すなわちサイドゲート２７の厚み方向の長さＸと、リターンピン３２ｂの先端と固定側型板２２（分割面ＰＬ）との間の隙間の長さＹと、サポートピン３６の先端３６ａと固定側型板２２（分割面ＰＬ）との間の隙間の長さＺはほぼ同じ長さに形成されている（Ｘ＝Ｙ＝Ｚ）。尚、ゲートカッターピン３２ａ、リターンピン３２ｂ及びサポートピン３６は、それそれ受け板３３及び可動側型板３５を貫通してその先端を分割面ＰＬ側に臨むようになっている。
【００１３】
このような構成の金型において、型閉後、ノズル４０をスプルブッシュ２３に当接させ、この状態で溶融樹脂がノズル４０から所定の射出圧でスプルー２５，ランナー２６，サイドゲート２７を介してキャビティ２８内へ充填される。かかる状態において、ゲートカッターピン３２ａはサイドゲート２７の厚み方向より後退してサイドゲート２７を開口しており、またリターンピン３２ｂの先端、サポートピン３６の先端３６ａが固定金型２０の分割面ＰＬに対して長さＹ，Ｚ後退している。尚、図中においてサポートピン３６はリターンピン３２ｂより小径に形成されている。
【００１４】
そして、樹脂の固化前に加圧ロッド３２ｃを介して加圧板３２が押圧され、この結果ゲートカッターピン３２ａがサイドゲート２７の厚み方向へ突き出される。このゲートカッターピン３２ａの突き出しにより、成型品におけるサイドゲート２７の切断が行われる。このゲートカッターピン３２ａの突き出しと同時に、加圧板３２がリターンピン３２ｂ及びサポートピン３６を押圧して、リターンピン３２ｂの先端が固定金型２０の分割面ＰＬに当接して、長さＹ以上の前進を抑止する。またサポートピン３６の先端３６ａは長さＺ前進してゲートカッターピン３２ａの近傍の分割面ＰＬの部位に当接する。すなわち先端３６ａはサイドゲート２７の近傍に配置され、これにより固定金型２０の分割面ＰＬ側はサポートピン３６に支持され、この結果固定金型２０、可動金型３０におけるゲートカッターピン３２ａの近傍の強度を向上し、例えばサイドゲート２７の厚み等を正確に確保することができ、ゲートカッターピン３２ａの刃先部３２ｙが固定金型２０側に所定圧力で接触することができ、このために刃先部３２ｙが変形したり、或いは摩耗することを防ぐことができる。
【００１５】
このようにしてサイドゲート２７が切断された後、型開きが行なわれるとともに、突出しロッド３４ｃにより突出し板３４が突き出されて、突出しピン３４ａ，３４ｂを介してサイドゲート２７で切断された成型品１を取り出すことができる。
【００１６】
以上のように、前記実施形態では相互に開閉自在の固定金型２０と可動金型３０との分割面ＰＬに、製品形状のキャビティ２８を形成するとともに、このキャビティ２８にサイドゲート２７を介して連通するランナー２６を形成し、前記サイドゲート２７でランナー２６内の樹脂とキャビティ２８内の樹脂とを切断するゲート切断機構を備えた金型装置であって、前記可動金型３０は、可動側型板３５と、該可動側型板３５に対して移動可能で前記サイドゲート２７へ先端が進出するゲートカッターピン３２ａと、前記ゲートカッターピン３２ａの近傍に配置され前記ゲートカッターピン３２ａと一体的に移動して先端３６ａが前記固定金型２０に当接するサポートピン３６とを有しており、型閉時において、ゲートカッターピン３２ａがサイドゲート２７へ先端の刃先部３２ｙが進出する際、前記ゲートカッターピン３２ａと一体的にサポートピン３６が進出し固定金型２０側に当接して、前記サポートピン３６は固定金型２０を支持することにより、ゲートカッターピン３２ａの先端の刃先部３２ｙ側の近傍の寸法を確保することができ、ゲートカッターピン３２ａがサイドゲート２７へ先端の刃先部３２ｙが進出する際に、ゲートカッターピン３２ａに無理な力が加わるようなことはなく、ゲートカッターピン３２ａを保護することができる。
【００１７】
また、前記ゲートカッターピン３２ａの基端を進退可能な加圧板３２に接続するとともに、前記サポートピン３６の基端３６ｂを前記加圧板３２に接続したことにより、ゲートカッターピン３２ａがサイドゲート２７へ先端の刃先部３２ｙが進出する際には、ゲートカッターピン３２ａと一体となってサポートピン３６は進出することができるので、サポートピン３６は固定金型２０を確実に支持でき、ゲートカッターピン３２ａを確実に保護することができる。
【００１８】
さらに、サポートピン３６は、キャビティ２８のゲート２７側、すなわちスプルーブッシュ２３側の壁板対応部２８ｂと、スプルー２６の先端の間に配置され、さらにキャビティ２８の幅、すなわちスプルーブッシュ２３側の壁板対応部２８ｂの幅の内側に配置されており、サポートピン３６を可及的にゲートカッターピン３２ａに近づけることができので、ゲートカッターピン３２ａ近くの固定金型２０の分割面ＰＬの部位を確実に支持して、ゲートカッターピン３２ａの刃先部３２ｙの変形、摩耗を防止することができる。
【００１９】
尚、本発明は上記実施形態に限定されるものではなく、本発明の要旨の範囲内において、種々の変形実施が可能である。
【００２０】
【発明の効果】
請求項１の発明は、相互に開閉自在の固定側金型と可動側金型との分割面に、製品形状のキャビティを形成するとともに、このキャビティにサイドゲートを介して連通するランナーを形成し、前記サイドゲートでランナー内の樹脂とキャビティ内の樹脂とを切断するゲート切断機構を備えた金型装置であって、前記可動側金型は、可動側型板と、該可動側型板に対して移動可能で前記サイドゲートへ先端が進出するゲートカッターピンと、前記ゲートカッターピンの近傍に配置され前記ゲートカッターピンと一体的に移動して先端が前記固定金型に当接するサポートピンとを有することを特徴とする金型装置であり、ゲートカッターピンがサイドゲートへ先端が進出する際に、ゲートカッターピンに無理な力が加わるようなことはなく、ゲートカッターピンを保護することができる。
【００２１】
請求項２の発明は、前記ゲートカッターピンの基端を進退可能な加圧体に接続するとともに、前記サポートピンの基端を前記加圧体に接続したことを特徴とする請求項１記載の金型装置であり、ゲートカッターピンがサイドゲートへ先端が進出する際に、サポートピンは固定金型を確実に支持でき、ゲートカッターピンを保護することができる。
【図面の簡単な説明】
【図１】本発明の一実施形態を示す全体縦断面図である。
【図２】本発明の一実施形態を示す要部の縦断面図である。
【図３】本発明の一実施形態を示す平断面図である。
【図４】
本発明の一実施形態を示す成型品の一部切り欠き斜視図である。
【図５】本発明の一実施形態を示す説明図である。
【符号の説明】
２０  固定金型
２１  可動側型板
２６  ランナー
２７  ゲート
２８  キャビティ
３０  可動金型
３２  加圧板（加圧体）
３２ａ  ゲートカッターピン
３６  サポートピン
３６ａ  先端
ＰＬ  分割面
【図１】
2004167949.tif 000003
【図２】
2004167949.tif 000004
【図３】
2004167949.tif 000005
【図４】
2004167949.tif 000006
【図５】
2004167949.tif 000007